(57)【要約】【課題】  樹脂管の抜止め作用を発揮させるのに必要な係止部材としてのリング体や傾斜面が、接続口部に挿入された樹脂管の内側に納まるようにすることによって、継手と樹脂管との接続箇所の構造を小形化する。【解決手段】  筒状の接続口部１と、樹脂管９の管壁に係合可能な係止部材とを有する。係止部材が、接続口部１の環状溝部３に軸方向スライド可能に配備されたリング体５でなる。環状溝部３に傾斜面４を具備させることにより、接続口部１に挿入された樹脂管９に追従して樹脂管９の抜出し方向に移動したリング体がその傾斜面４に乗り上がって拡径するように構成する。傾斜面４は、環状溝部３の底面によって形成しても、環状溝部３に嵌合保持させた環状部材４１の表面によって形成してもよい。【選択図】        図１
2007051723.tif 000002
【特許請求の範囲】
【請求項１】
樹脂管が挿入される筒状の接続口部と、その接続口部に挿入された上記樹脂管の管壁に係合可能な係止部材とを有する管継手であって、
上記係止部材が、上記接続口部の環状溝部に軸方向スライド可能に配備されてその接続口部に挿入された上記樹脂管の管壁内面に弾圧されるリング体でなると共に、上記樹脂管に追従して樹脂管の抜出し方向に移動する上記リング体を乗り上がらせて拡開させる傾斜面を上記環状溝部に付加してあることを特徴とする管継手。
【請求項２】
上記傾斜面が上記環状溝部の底面によって形成されている請求項１に記載した管継手。
【請求項３】
上記傾斜面が上記接続口部から分割されて上記環状溝部に嵌合保持された環状部材の表面によって形成されている請求項１に記載した管継手。
【請求項４】
上記リング体は、樹脂管の管壁内面に対する弾圧箇所が、その管壁内面に喰込んでその樹脂管の摺動を阻止する作用を発揮する先細形状の爪部として形成されている請求項１ないし請求項３のいずれか１項に記載した管継手。
【請求項５】
上記接続口部に、その接続口部に挿入された上記樹脂管の管壁内面に水密状態で密着するシールリングが取り付けられている請求項１ないし請求項４のいずれか１項に記載した管継手。
【請求項６】
上記接続口部に挿入された上記樹脂管の管壁の上記リング体との重なり箇所をその管壁の外面側から縮径方向に締め付ける締付け手段を備えている請求項１ないし請求項５のいずれか１項に記載した管継手。
【発明の詳細な説明】
【技術分野】
【０００１】
本発明は、管継手、特に、樹脂管が挿入して接続される接続口部を備える管継手に関する。
【背景技術】
【０００２】
宅内給湯管や同排水管などの樹脂管を用いる配管系では、樹脂管の接続箇所に介在される管継手が樹脂管を抜止めする作用を発揮することが要求されている。そこで、この要求に対処するために、従来より、抜止め機能を備える様々な管継手が提案されている（たとえば、特許文献１参照）。この特許文献１に記載されている管継手は、接続口部に挿入された樹脂管の外側に配備したロックリング体を、樹脂管に嵌合した外筒により締め付けてその樹脂管を抜止めするようになっている。
【０００３】
また、図１３〜図１９には従来より知られている種々の具体的構成を備えた管継手を部分断面図で例示してある。このうち、図１３〜図１７のものは、樹脂管が挿入される筒状の接続口部１００にタケノコと通称されている鋸歯状断面形状の係止爪１１０を一体に具備させてその係止爪１１０を樹脂管の管壁に内側から喰い込ませることができるようになっている。また、図１３、図１４、図１７、図１８のものは、管継手にねじ込まれる押輪２００と、その押輪２００の締付け作用によって縮径されて樹脂管の管壁を接続口部１００との間に挟持する締付け輪２１０とを備えている。さらに、図１９のものは、管継手の内側にねじ込まれる押輪３００により係止部材３１０を押し付けることにより、その係止部材３１０を、先端にコアが嵌合保持されている樹脂管の管壁の外面側に喰い込ませることができるようになっている。
【０００４】
【特許文献１】特開２００３−１０６４９０号公報
【発明の開示】
【発明が解決しようとする課題】
【０００５】
しかしながら、図１３、図１４、図１７、図１８のものは、締付け輪２１０による締付け作用で樹脂管の管壁内面に係止爪１１０を喰い込ませるものであるに過ぎないので、たとえば樹脂管に加わる外力で引抜き方向に引張られたときでも管壁に対する係止爪１１０の喰込み深さは初期の深さのまま保たれている。そのため、樹脂管が大きな力で引抜き方向に引張られたときに、その管壁の係止爪１１０との係止箇所が係止爪１１０によりもぎ取られて樹脂管が抜け出てしまうおそれがあるので、満足のいく抜止め作用が発揮されるものではない。この点は、図１２や図１６のもののように、係止爪１１０を有する接続口部１００に挿入した樹脂管を締付け輪４００によって締め付けるものについても同様である。
【０００６】
これらに対し、図１９のものは、樹脂管が引抜き方向に引張られたときに、その管壁に外側から係止部材３１０が次第に喰い込むことになるので、その係止部材３１０によって安定した抜止め作用が発揮されるとも考えられる。
しかしながら、図１９のものは、係止部材３１０やその係止部材３１０を押し付ける押輪３００を樹脂管の外側に配備することが不可欠であるために、管継手と樹脂管との接続箇所の構造が大形化し、宅内配管系などのように狭いスペースでの施工を余儀なくされる場合にはその汎用性などに関して問題があると云える。特許文献１によって提案されている管継手についても同様である。
【０００７】
本発明は以上の状況や問題に鑑みてなされたものであり、樹脂管の抜止め作用を発揮する係止部材を、その樹脂管の管壁内面に係合させることのできる構成を採用することによって、狭いスペースでの樹脂管施工に際して便利に採用することが可能であり、しかも、安定した抜止め効果の得られる管継手を提供することを目的とする。
【０００８】
また、本発明は、必要部品点数を可及的少なく抑えることのできる構成を採用することよって当該管継手のコストを安く抑えることを目的とする。
【課題を解決するための手段】
【０００９】
本発明に係る管継手は、樹脂管が挿入される筒状の接続口部と、その接続口部に挿入された上記樹脂管の管壁に係合可能な係止部材とを有する管継手であって、上記係止部材が、上記接続口部の環状溝部に軸方向スライド可能に配備されてその接続口部に挿入された上記樹脂管の管壁内面に弾圧されるリング体でなると共に、上記樹脂管に追従して樹脂管の抜出し方向に移動する上記リング体を乗り上がらせて拡開させる傾斜面を上記環状溝部に付加してある。
【００１０】
この構成であれば、係止部材としてのリング体や傾斜面が樹脂管の内側に納まるので、その係止部材を樹脂管の外側に配備したもの（たとえば、図１９や特許文献１に記載されているもの）に比べ、管継手と樹脂管との接続箇所の構造が小形化されて狭いスペースでの施工を無理なく行うことができるようになる。また、樹脂管に追従してリング体が抜出し方向に移動すると、そのリング体が接続口部の環状溝部に付加されている傾斜面に乗り上がって拡開する。そのために、樹脂管の抜出し方向の移動幅が大きくなるほど管壁に対するリング体の喰込み幅が増加することになり、そのことが、リング体によって発揮される抜止め作用の安定性を高めることに役立つ。
【００１１】
本発明では、上記傾斜面が上記環状溝部の底面によって形成されているものであっても、上記傾斜面が上記接続口部から分割されて上記環状溝部に嵌合保持された環状部材の表面によって形成されているものであってもよい。前者は後者に比べて部品点数が少なくて済むために、それだけコスト安となり、併せて、環状部材を環状溝部に組み付けることが必要になる後者に比べて組立作業が容易になるという利点がある。
【００１２】
本発明において、上記リング体は、樹脂管の管壁内面に対する弾圧箇所が、その管壁内面に喰込んでその樹脂管の摺動を阻止する作用を発揮する先細形状の爪部として形成されていることが望ましい。これによれば、樹脂管の抜出し方向の移動幅が大きくなるほど管壁に対するリング体の爪部の喰込み幅が増加することになるので、リング体によって発揮される抜止め作用の安定性がいっそう向上する。
【００１３】
本発明では、上記接続口部に、その接続口部に挿入された上記樹脂管の管壁内面に水密状態で密着するシールリングが取り付けられていることが望ましく、これによれば、上記した抜止め作用と共にシールリングによる水漏れ防止作用が発揮されるようになる。
【００１４】
本発明では、上記接続口部に挿入された上記樹脂管の管壁の上記リング体との重なり箇所をその管壁の外面側から縮径方向に締め付ける締付け手段を備えていることが望ましい。これによれば、樹脂管の拡開を締付け手段によって強制的に阻止することができるので、樹脂管が拡開してリング体による抜止め作用の安定性が損なわれるという事態が起こらない。
【発明の効果】
【００１５】
以上のように、本発明によれば、樹脂管の抜止め作用を発揮させるのに必要な係止部材としてのリング体や傾斜面が、接続口部に挿入された樹脂管の内側に納まるために、管継手と樹脂管との接続箇所の構造が大形化しなくなって、宅内配管系に見られるような狭いスペースでの施工を無理なく行うことができるようになるという効果が奏される。また、部品点数が少なくなって管継手と樹脂管との接続箇所の構造が簡素化されるために、管継手を安価に提供することができるようになる。
【発明を実施するための最良の形態】
【００１６】
図１は本発明の実施形態に係る管継手を一部断面で示した側面図、図２は変形例による管継手を一部断面で示した側面図、図３（Ａ）は図２の管継手に採用されている環状部材の正面図、同（Ｂ）は（Ａ）のＩＩＩＢ−ＩＩＩＢ線に沿う部分の断面図、図４〜図７は管継手の作用を示した部分断面図、図８は図７のＶＩＩＩ部拡大図、図９（Ａ）は係止部材としてのリング体の正面図、同（Ｂ）は同リング体の部分縦断側面図、図１０（Ａ）は変形例によるリング体を採用した管継手の要部の断面図、同（Ｂ）は変形例によるリング体の正面図、同（Ｃ）は変形例によるリング体の部分縦断側面図、図１１（Ａ）は他の変形例によるリング体を採用した管継手の要部の断面図、同（Ｂ）は他の変形例によるリング体の正面図、同（Ｃ）は他の変形例によるリング体の部分縦断側面図、図１２（Ａ）はさらに他の変形例によるリング体を採用した管継手の要部の断面図、同（Ｂ）はさらに他の変形例によるリング体の正面図、同（Ｃ）はさらに他の変形例によるリング体の部分縦断側面図である。
【００１７】
図１及び図２に示した管継手は、樹脂管（不図示）が挿入される筒状の接続口部１に、Ｏリングなどでなる２個のシールリング２１が各別に嵌め込まれた２条の環状溝２，２が設けられている点、それらの環状溝２，２よりも軸方向内側に環状溝部３が設けられていて、その環状溝部３にテーパ面でなる傾斜面４が付加されていると共に、その傾斜面４の前側で、環状溝部３に係止部材としてのリング体５が軸方向スライド可能に配備されているという点で共通している。また、接続口部１の基部には、段付状に形成された樹脂管受面６が備わっているという点でも共通している。
【００１８】
これに対し、図１の管継手では、傾斜面４が環状溝部３の底面によって形成されているのに対し、図２の管継手では、傾斜面４が、接続口部１から分割されて環状溝部３に嵌合保持された環状部材４１の表面によって形成されている点で、両者は相違している。図３（Ａ）（Ｂ）のように、環状部材４１は、弾性を有する１つ割りリング体状部材によって形成されていて、環状溝部３に嵌め込むときにその環状部材４１が弾性に抗して拡径される。また、環状部材４１を環状溝部３に嵌め込んだ後では、その環状部材４１が環状溝部３内に完全に収容される。したがって、接続口部１に樹脂管を挿入するときに、その環状部材４１が環状溝部３から突き出してじゃまになる、という事態は起こらない。
【００１９】
図９（Ａ）（Ｂ）のように、上記リング体５は弾性を有していて、１箇所に欠円部を有する１つ割りリング体状部材によって形成されていて、その外周部を全周に亘って凹ませることによって外向きの先細形状の２条の爪部５１，５１を具備させてある。このリング体５は、拡径した状態で接続口部１の環状溝部３に嵌め込まれ、環状溝部３に嵌め込まれた後では、爪部５１，５１を含む外周部が環状溝部３の外側へ少し突き出ている。
【００２０】
図１の管継手について、その作用を図４〜図８を参照して次に説明する。
【００２１】
図４又は図５の矢印Ｆのように、接続口部１に樹脂管９を挿入してその端面９１を管継手の樹脂管受面６に突き合わせると、接続口部１に対する樹脂管９の挿入代が適正に定まると同時に、シールリング２１が樹脂管の内面に液密状態で密着してその箇所がシールされ、併せて、リング体５が樹脂管９に押されて縮径するために、そのリング体５が樹脂管９の管壁内面に弾圧状態で当接する。樹脂管９を接続口部１に挿入した後、接続口部１に挿入された樹脂管９の管壁の上記リング体５との重なり箇所を締付け輪７を用いて締め付ける。このように締付け手段としての締付け輪７で樹脂管９を締め付けると、リング体５の弾圧作用で樹脂管９が拡開するという事態が起こらないという利点がある。なお、樹脂管９が容易に拡開しない硬質樹脂管である場合には、必ずしも締付け輪７を取り付ける必要はない。以上により、管継手と樹脂管９との接続作業が終了する。
【００２２】
こうして管継手に接続されている樹脂管９に抜出し方向の外力が作用して樹脂管９が図６矢印Ｒのように接続口部１を摺動して抜出し方向に移動するという事態が起こった場合、その樹脂管９の管壁内面に弾圧状態で当接しているリング体５がその樹脂管９に追従して環状溝部３内で移動する。そのため、樹脂管９の抜出し方向への移動幅の大きさによっては、図６のように、リング体５が環状溝部３の傾斜面４に当接した後、図７のようにリング体５が傾斜面４に乗り上がって拡径する。このことにより、図８に拡大して示したように、リング体５の爪部５１が樹脂管９の管壁内面に喰い込み、樹脂管９がリング体５を摺動して抜出し方向に移動するという事態が阻止される。そして、リング体５は樹脂管９の内側でその樹脂管９によって無制限な拡径が制限されるために、樹脂管９がリング体５により確実に抜止めされることになる。
【００２３】
図４〜図８では、図１の管継手についての作用を説明したけれども、図２の管継手のように傾斜面４を環状部材４１に具備させたものであっても同様の作用が行われる。
【００２４】
図１０（Ａ）（Ｂ）（Ｃ）は変形例によるリング体５を用いた事例を示している。この事例で用いられいてるリング体５は板金製であり、同図（Ｂ）（Ｃ）のように、外周部に多数の爪部５１を屈曲形成してある。そして、同図（Ａ）のように、接続口部１に挿入された後に何らかの外力を受けて樹脂管９が抜出し方向に移動すると、その樹脂管９に追従して環状溝部３内で移動したリング体５がその環状溝部３の底面によって形成されている傾斜面４に乗り上がってその爪部５１が樹脂管９の管壁内面に喰い込み、それによって樹脂管９が抜止めされるようになっている。
【００２５】
図１１（Ａ）（Ｂ）（Ｃ）は他の変形例によるリング体５を用いた事例を示している。この事例で用いられいてるリング体５は、同図（Ｂ）（Ｃ）のように、外周部に鋸歯状の爪部５１を有している。そして、同図（Ａ）のように、接続口部１に挿入された後に何らかの外力を受けて樹脂管９が抜出し方向に移動すると、その樹脂管９に追従して環状溝部３内で移動したリング体５がその環状溝部３の底面によって形成されている傾斜面４に乗り上がってその爪部５１が樹脂管９の管壁内面に喰い込み、それによって樹脂管９が抜止めされるようになっている。
【００２６】
図１２（Ａ）（Ｂ）（Ｃ）はさらに他の変形例によるリング体５を用いた事例を示している。この事例で用いられいてるリング体５は、同図（Ｂ）（Ｃ）のように、外周部に外向きに突き出た爪部５１を有している。そして、同図（Ａ）のように、接続口部１に挿入された後に何らかの外力を受けて樹脂管９が抜出し方向に移動すると、その樹脂管９に追従して環状溝部３内で移動したリング体５がその環状溝部３の底面によって形成されている傾斜面４に乗り上がってその爪部５１が樹脂管９の管壁内面に喰い込み、それによって樹脂管９が抜止めされるようになっている。
【００２７】
以上説明したそれぞれの実施形態では、いずれも樹脂管９を抜止めするためのリング体５が、接続口部１に挿入された樹脂管９の内側に納まっているため、樹脂管９の外側に抜止め対策を講じるための押輪やその他の部材を配備する必要がない。そのために、管継手と樹脂管９との接続箇所の構造が小形化され、そのことが、宅内配管系に見られるような狭いスペースでの施工を無理なく行うことに役立つ。
【００２８】
図１〜図１２では、説明の便宜から同一又は相応する部分に同一符号を付してある。
【図面の簡単な説明】
【００２９】
【図１】本発明の実施形態に係る管継手を一部断面で示した側面図である。
【図２】変形例による管継手を一部断面で示した側面図である。
【図３】（Ａ）は図２の管継手に採用されている環状部材の正面図、（Ｂ）は（Ａ）のＩＩＩＢ−ＩＩＩＢ線に沿う部分の断面図である。
【図４】接続口部に樹脂管を挿入する最初の段階を示した部分断面図である。
【図５】接続口部に樹脂管を挿入し終わった段階を示した部分断面図である。
【図６】接続口部に挿入された樹脂管が抜出し方向に移動した状態の部分断面図である。
【図７】リング体が傾斜面に乗り上がった状態の部分断面図である。
【図８】図７のＶＩＩＩ部拡大図である。
【図９】（Ａ）は係止部材としてのリング体の正面図、（Ｂ）は同リング体の部分縦断側面図である。
【図１０】（Ａ）は変形例によるリング体を採用した管継手の要部の断面図、（Ｂ）は変形例によるリング体の正面図、（Ｃ）は変形例によるリング体の部分縦断側面図である。
【図１１】（Ａ）は他の変形例によるリング体を採用した管継手の要部の断面図、（Ｂ）は他の変形例によるリング体の正面図、（Ｃ）は他の変形例によるリング体の部分縦断側面図である。
【図１２】（Ａ）はさらに他の変形例によるリング体を採用した管継手の要部の断面図、（Ｂ）はさらに他の変形例によるリング体の正面図、（Ｃ）はさらに他の変形例によるリング体の部分縦断側面図である。
【図１３】従来例の部分縦断側面図である。
【図１４】他の従来例の部分縦断側面図である。
【図１５】さらに他の従来例の部分縦断側面図である。
【図１６】さらに他の従来例の部分縦断側面図である。
【図１７】さらに他の従来例の部分縦断側面図である。
【図１８】さらに他の従来例の部分縦断側面図である。
【図１９】さらに他の従来例の部分縦断側面図である。
【符号の説明】
【００３０】
１  接続口部
３  環状溝部
４  傾斜面
５  リング体（係止部材）
７  締付け輪（締付け手段）
９  樹脂管
２１  シールリング
５１  爪部
【図１】
2007051723.tif 000003
【図２】
2007051723.tif 000004
【図３】
2007051723.tif 000005
【図４】
2007051723.tif 000006
【図５】
2007051723.tif 000007
【図６】
2007051723.tif 000008
【図７】
2007051723.tif 000009
【図８】
2007051723.tif 000010
【図９】
2007051723.tif 000011
【図１０】
2007051723.tif 000012
【図１１】
2007051723.tif 000013
【図１２】
2007051723.tif 000014
【図１３】
2007051723.tif 000015
【図１４】
2007051723.tif 000016
【図１５】
2007051723.tif 000017
【図１６】
2007051723.tif 000018
【図１７】
2007051723.tif 000019
【図１８】
2007051723.tif 000020
【図１９】
2007051723.tif 000021